(57)【要約】【課題】入浴の補助的効用をより手軽且つ確実に得ることができる浴槽用敷物を提供する。【解決手段】ミネラル成分を含有する多数の石材球体５と芳香成分を放出する多数の木材球体６を充填用袋１０内に充填してなる球体充填体２で浴槽用敷物１を構成し、且つこれを浴槽２０の内底面２１に載置して使用する。この浴槽用敷物１の使用状態においては、浴槽用敷物１を浴湯との比重差で常時浴湯内に浸漬保持できることから、石材球体５からのミネラル成分の浴湯への溶出作用と、木材球体６からの芳香成分の浴湯及び浴室内への放出作用が継続的に行われ、入浴によるミネラル成分吸収効果と芳香成分吸入効果が確実且つ効果的に享受される。また、入浴状態においては、入浴姿勢に拘らず常に人体の下側に浴槽用敷物１が敷き込まれ、石材球体５及び木材球体６によって人体に適度の押圧刺激が継続的加えられ、また人体の任意の部位を浴槽用敷物側に押し付けることで押圧刺激が局所的に加えられることから、適度のマッサージ効果が享受される。【選択図】図１
2009201958.tif 000002
【特許請求の範囲】
【請求項１】
ミネラル成分を含有する石材を略球状に成形してなる多数の石材球体（５）と芳香成分を放出する木材を略球状に成形してなる多数の木材球体（６）を充填用袋（１０）内に充填してなる球体充填体（２）で構成され、浴槽（２０）の内底面（２１）に載置して使用されることを特徴とする浴槽用敷物。
【請求項２】
請求項１において、
上記球体充填体（２）が略柱状形体とされ、該各球体充填体（２）を複数本並置して使用することを特徴とする浴槽用敷物。
【請求項３】
請求項２において、
上記球体充填体（２）が、任意の本数毎に連結されていることを特徴とする浴槽用敷物。
【請求項４】
請求項１において、
上記充填用袋（１０）が、粗目で且つ可撓性をもつ素材でなる内側袋（１１）と、細目で且つ可撓性をもつ素材でなる外側袋（１２）からなる二重構造とされていることを特徴とする浴槽用敷物。
【発明の詳細な説明】
【技術分野】
【０００１】    本願発明は、主として、浴槽内の浴湯に浸漬した状態で使用される浴槽用敷物に関するものである。
【背景技術】
【０００２】  入浴の効用の一つとして、温熱作用によって身体の血行を促進させるとともに新陳代謝を活性化させて疲労回復を図る点が挙げられる。この温熱作用による入浴の効用をさらに促進させる補助的効用として、マッサージ効果を利用するもの、ミネラル成分の皮膚吸収効果を利用するもの、芳香成分の吸入効果を利用するもの、等が知られている。【０００３】  例えば、特許文献１に示されるものは、突起が設けられたマットを浴槽の壁面に取付けて、入浴した者が、該突起に足裏とか背中、あるいは肩部分を押し付けることでマッサージ効果を得るようにしたものである。【０００４】  特許文献２に示されるものは、球状ローラが設けられたマットを浴槽の内底面に載置し、入浴した者がその足裏を上記突起に押し付けることで筋肉細胞の活性化等のマッサージ効果を得るようにしたものである。【０００５】  また、特許文献３に示されるものは、外周面に多数の透水孔を設けた容器内にミネラル成分を含有する各種鉱石等を収容し、これを浴槽の浴湯内に沈積させて該鉱石等から溶出するミネラル成分を浴湯中に拡散混入させ、このミネラル成分を浴湯に浸かった人にその皮膚から吸収させることで新陳代謝の促進等のミネラル成分吸収効果を得るようにしたものである。【０００６】  さらに、特許文献４に示されるものは、通水性を有する袋状の収容体を二分し、その一方に桧薄小片を収容し、他方にミネラル溶出体を収容し、これを浴槽の浴湯に浮かべた状態で入浴することで、桧薄小片から発生する芳香成分の吸入による精神の沈静化・癒し効果と、ミネラル成分吸収効果を同時に得るようにしたものである。【０００７】
【特許文献１】  実用新案登録第３０４０１３７号公報
【特許文献２】  実用新案登録第３０２４４１３号公報
【特許文献３】  特開２００８−１８１５７号公報
【特許文献４】  特開２００３−１２６２０７号公報
【発明の開示】
【発明が解決しようとする課題】
【０００８】  ところで、入浴の効用を十分に享受するためには、リラックスした気分で浴湯に浸かって温熱作用を得ることが必要であるが、その際、マッサージ効果等の補助的効用も同時に得られることが望ましい。【０００９】  しかるに、従来は、上述のように、マッサージ効果とかミネラル成分吸収効果等を個別に得る（特許文献１〜３）とか、ミネラル成分吸収効果と芳香成分吸引効果のみを同時に得る（特許文献４）ものであって、マッサージ効果とミネラル成分吸収効果及び芳香成分吸入効果の三者を同時に得ることはできないものであった。【００１０】  また、特許文献３とか特許文献４に示されるように、ミネラル成分吸収効果とか芳香成分吸引効果を得るという思想は存在するものの、これらにおいては、浴湯量に対するミネラル成分あるいは芳香成分の絶対量が極めて少なく、ミネラル成分吸収効果あるいは芳香成分吸入効果の実効性及び持続性という点において、問題がある。【００１１】  そこで本願発明は、入浴の補助的効用をより手軽且つ確実に得ることができる浴槽用敷物を提供することを目的としてなされたものである。
【課題を解決するための手段】
【００１２】  本願発明では、上記課題を解決するために以下のような構成を採用している。【００１３】  本願の第１の発明に係る浴槽用敷物では、ミネラル成分を含有する石材を略球状に成形してなる多数の石材球体５と芳香成分を放出する木材を略球状に成形してなる多数の木材球体６を充填用袋１０内に充填してなる球体充填体２で構成され、浴槽２０の内底面２１に載置して使用されることを特徴としている。【００１４】  本願の第２の発明では、上記第１の発明に係る浴槽用敷物において、上記球体充填体２を略柱状形体とし、該各球体充填体２を複数本並置して使用することを特徴としている。【００１５】  本願の第３の発明では、上記第２の発明に係る浴槽用敷物において、上記球体充填体２を、任意の本数毎に連結したことを特徴としている。【００１６】  本願の第４の発明では、上記第１の発明に係る浴槽用敷物において、上記充填用袋１０を、粗目で且つ可撓性をもつ素材でなる内側袋１１と、細目で且つ可撓性をもつ素材でなる外側袋１２からなる二重構造としたことを特徴としている。
【発明の効果】
【００１７】  本願発明に係る浴槽用敷物によれば、次のような効果が得られる。【００１８】（ａ）本願の第１の発明に係る浴槽用敷物は、ミネラル成分を含有する石材を略球状に成形してなる多数の石材球体５と芳香成分を放出する木材を略球状に成形してなる多数の木材球体６を充填用袋１０内に充填してなる球体充填体２で構成され、且つ浴槽２０の内底面２１に載置して使用されるものであることから、
（ａ−１）  比重の大きい石材球体５と比重の小さい木材球体６の充填比率を、浴湯の比重との関係において適宜設定することで、浴槽用敷物を、浴湯との比重差によって、常時浴湯内に浸漬させた状態で保持することができ、人が入浴しているときは勿論のこと、入浴していないときも含めて、上記石材球体５からのミネラル成分の浴湯への溶出作用と、上記木材球体６からの芳香成分の浴湯及び浴室内への放出作用が継続的に行われ、入浴によるミネラル成分吸収効果と芳香成分吸入効果を、確実且つ効果的に享受することができる、
（ａ−２）  入浴状態においては、その入浴姿勢に拘らず（即ち、立った姿勢でも、座った姿勢でも）、常に人体の下側に浴槽用敷物が敷き込まれる状態となり、上記石材球体５及び木材球体６によって人体に適度の押圧刺激が継続的加えられ、また人体の任意の部位を浴槽用敷物側に押し付けることで押圧刺激が局所的に加えられ、これによって適度のマッサージ効果が享受される。【００１９】  これら（ａ−１）と（ａ−２）の相乗作用により入浴の効用が一層高められ、入浴という日常的な行動の中で健康増進が図られる。【００２０】（ｂ）本願の第２の発明に係る浴槽用敷物によれば、上記（ａ）に記載の効果に加えて以下のような特有の効果が得られる。即ち、この発明では、上記球体充填体２を略柱状形体とし、該各球体充填体２を複数本並置して使用するようにしているので、例えば、必要とする浴槽用敷物の平面積を同じとした場合、該浴槽用敷物を単一の球体充填体２で構成する場合に比して、該各球体充填体２を軽量且つコンパクトに形成することができ、この結果、上記浴槽用敷物の浴槽内への出し入れを、軽快且つ容易に行うことができ、特に浴槽用敷物の出し入れを行う者が女性等の非力な者である場合にはその効果はより顕著である。【００２１】（ｃ）本願の第３の発明に係る浴槽用敷物によれば、上記（ｂ）に記載の効果に加えて以下のような特有の効果が得られる。即ち、この発明では、上記球体充填体２を、任意の本数毎に連結しているので、浴槽２０の内底面２１に上記球体充填体２を適数本敷き詰めて浴槽用敷物とした場合、例えば、入浴中の人体の動きによって浴槽用敷物に、各球体充填体２の敷き詰め状態を崩すような力が加わったとしても、少なくとも一体に連結された各球体充填体２相互間では敷き詰め状態が維持されるので、浴槽用敷物の使用状態での安定感が良好となる。【００２２】（ｄ）本願の第４の発明に係る浴槽用敷物によれば、上記（ａ）に記載の効果に加えて以下のような特有の効果が得られる。即ち、この発明では、上記充填用袋１０を、粗目で且つ可撓性をもつ素材でなる内側袋１１と、細目で且つ可撓性をもつ素材でなる外側袋１２からなる二重構造としているので、粗目の上記内側袋１１はその内部に充填される石材球体５とか木材球体６を抱持してその散逸による自由移動をある程度拘束して略円筒状の形状を保持するように機能し、細目の上記外側袋１２は上記石材球体５及び木材球体６から摩擦粉が発生した場合、これを捕集して外部への漏洩による浴湯の汚染を防止するように機能し、これら両機能の併有によって、上記球体充填体２の形状保持性と入浴環境保持性が両立され、それだけ浴槽用敷物の商品価値が向上する。
【発明を実施するための最良の形態】
【００２３】  以下、本願発明を好適な実施形態に基づいて具体的に説明する。【００２４】  Ａ：浴槽用敷物の構成
図１には、本願発明の実施形態に係る浴槽用敷物１を示している。この浴槽用敷物１は、主として、浴湯２２が張られた浴槽２０（図３参照）の内底面２１に載置されて使用されるものであって、次述する三本の球体充填体２をベース布３上に並置状態で取付けて構成される。【００２５】  上記球体充填体２は、充填用袋１０内に石材球体５と木材球体６を所定量充填して構成される。上記充填用袋１０は、全体として略筒状の基本形体（即ち、製作上の設計形体）を有するものであって、内側袋１１と外側袋１２の二重構成とされ、必要に応じてその形体が変更可能とされる。【００２６】  上記内側袋１１は、その内部に充填される石材球体５とか木材球体６を抱持してその散逸による自由移動をある程度拘束して略円筒状の形状を保持することを主たる機能としており、その素材としては、その要求機能面から考えて、例えば、布目が粗く且つ耐水性及び可撓性をもつメッシュ布が好適である。【００２７】  これに対して、上記外側袋１２は、上記石材球体５及び木材球体６から摩擦粉が発生した場合、これを捕集して外部への漏洩を防止することを主たる機能としており、その素材としては、その要求機能面から考えて、布目が細かく且つ透水性と耐水性及び可撓性をもつ素材、例えば、ダイビング用ウエットスーツの素材として用いられるクロロプレン素地等が好適である。【００２８】  このように、上記充填用袋１０を上記内側袋１１と外側袋１２からなる二重構成とすることで、上記球体充填体２の形状保持性と入浴環境保持性が両立され、上記浴槽用敷物の商品価値が向上することになる。【００２９】  また、この実施形態では、上記充填用袋１０の径寸法を４０ｍｍ程度、長さ寸法を６００ｍｍ程度に、それぞれ設定している。係る設定は、通常の家庭用浴槽の寸法に対応させたものであり、従って、他の実施形態においては使用される浴槽の大きさに応じて、その寸法を適宜設定できることは言うまでも無い。【００３０】  このように構成された上記充填用袋１０の上記内側袋１１の内部に、次述の石材球体５と木材球体６を所定の混合割合で充填封入することで、略円柱状の外観形体をもつ上記球体充填体２が得られる。【００３１】  ここで、上記石材球体５は、ミネラル成分を含有する砕石を成形加工してその角部分を取り除いて、１５〜２０ｍｍ程度の球状に成形して得られる。また、上記木材球体６は、例えば、芳香成分を放出する桧等の木材の小片を成形加工してその角部分を取り除いて、１５〜２０ｍｍ程度の球状に成形して得られる。【００３２】  なお、図１においては作図の便宜上、上記石材球体５及び木材球体６を真球として示しているが、この石材球体５及び木材球体６は、望ましくは、真球に近い球体とされるが、これのみを指すものではなく、浴槽用敷物の充填材として許容され得る程度（例えば、角部によって人体に過度の刺激を与えないと思われる程度）の球体形状と認められるものであれば良く、例えば、多面体の各角部分を適度に面取りしたような多面球体等を含む広い概念である。【００３３】  また、上記石材球体５と木材球体６は、上記充填用袋１０内に所定の混合割合で充填封入されるが、ここでいう「充填」とは、上記充填用袋１０内に上記石材球体５と木材球体６を隙間無くびっしりと詰め込むという概念ではなく、充填状態において上記石材球体５と木材球体６が上記充填用袋１０内で適度に移動して上記球体充填体２の外観形体の変化を許容し得るように、多少のスペース的な余裕をもって詰め込まれることをいう。【００３４】  さらに、この実施形態では、三本の上記充填用袋１０のそれぞれに上記石材球体５と木材球体６を混合させて充填して、それぞれ球体充填体２とし、これら三本の球体充填体２で上記浴槽用敷物１を構成しているが、本願発明は係る構成に限定されるものではなく、他の実施形態においては、例えば、三本の充填用袋１０のうちの幾つかには上記石材球体５のみを、他の充填用袋１０には木材球体６のみを、それぞれ充填してそれぞれ球体充填体２とし、これら三本の球体充填体２で上記浴槽用敷物１を構成することもできる。さらに、三本の充填用袋１０の全てに石材球体５のみを充填してそれぞれ球体充填体２とし、これら同種の三本の球体充填体２で上記浴槽用敷物１を構成することもできる。【００３５】  但し、上記各構成の何れにおいても、上記浴槽用敷物１が浴湯との比重差によって浴槽２０の内底面２１側へ沈むように、上記石材球体５と木材球体６の比重差を考慮してその充填比率を設定することが必要である。【００３６】  以上のようにして形成された上記球体充填体２は、図１に示すように、所定大きさの矩形形状（この実施形態では、縦横寸法を１５０×６００ｍｍ程度の長矩形としている）をもつベース布３上に順次並置された状態で取付けられて、該ベース布３とともに上記浴槽用敷物１を構成する。【００３７】  ここで、上記ベース布３への上記球体充填体２の取付方法と、上記充填用袋１０への上記石材球体５及び木材球体６の充填作業との関係について説明する。【００３８】  この実施形態では、図１に縫合線７で示すように、上記ベース布３と上記充填用袋１０の周方向の一側をその長手方向に縫合することで該ベース布３と充填用袋１０を連結している。従って、係る手法を採用する場合には、予め上記ベース布３に上記充填用袋１０を縫合固定し、しかる後、上記充填用袋１０内に上記石材球体５及び木材球体６を充填し、さらに該充填用袋１０の開口端部を閉塞する手法をとることになる。【００３９】  一方、上記ベース布３と上記充填用袋１０を、接着剤を用いて接着固定するような構成をとる場合には、予め上記充填用袋１０内に上記石材球体５及び木材球体６を充填し且つこれを封入して上記球体充填体２を作り、しかる後、この球体充填体２を上記ベース布３に接着固定する手法とか、先に上記ベース布３に対して上記充填用袋１０を接着固定し、しかる後、該充填用袋１０内に上記石材球体５及び木材球体６を充填し且つこれを封入して固定する手法等をとることもできる。なお、これら手法は一例であって、これらと異なる手法によって上記球体充填体２を上記ベース布３に連結することができることは勿論である。【００４０】  Ｂ：浴槽用敷物１の使用方法及びその作用効果
図２及び図３には、上記浴槽用敷物１の使用方法を示している。上述のように三本の球体充填体２を、上記ベース布３を介して連結してなる浴槽用敷物１は、浴槽２０の大きさに対応して、その内底面２１上に所定本数が順次列設状態で載置される。なお、この実施形態では、上記浴槽用敷物１を、上記浴槽２０の内底面２１の全域に載置する場合を例にとって説明しているが、他の実施形態においては、例えば、上記浴槽用敷物１の載置本数を減らせて、上記浴槽２０の内底面２１の一部領域のみに載置することもできることは勿論である。【００４１】  また、上記浴槽用敷物１の上記浴槽２０の内底面２１への載置は、浴湯を張る前でも、浴湯を張った後でも可能である。これら何れの場合であっても、上記浴槽用敷物１は浴湯との比重差によって上記浴槽２０の内底面２１側に沈んだまま保持されるため、何等不都合は生じない。【００４２】  図４には、上記浴槽２０に浴湯を張るとともに、その内底面２１上に所定本数の浴槽用敷物１を順次載置し、該各浴槽用敷物１によって上記内底面２１の全域が覆われた状態において、人Ｍが腰を降ろして入浴している状態を示している。【００４３】  この入浴状態においては、人Ｍの臀部Ｍ１、大腿部Ｍ２の裏側、及び脹脛Ｍ３の裏側がそれぞれ上記各浴槽用敷物１上に接触した状態とされている。なお、足裏Ｍ４は脹脛Ｍ３と択一的に浴槽用敷物１上に接触できる。また、人Ｍが立ち上がった状態では、足裏Ｍ４のみが上記浴槽用敷物１上に接触することになる。【００４４】  この入浴状態においては、人Ｍは浴湯からの温熱を受けて体内の血行が促進され、疲労感が漸減し、疲労回復が図られる（即ち、温熱効果が享受される）。また、この際、この温熱効果と同時に、マッサージ効果とミネラル成分吸収効果及び芳香成分吸入効果が享受される。【００４５】  即ち、入浴状態では、人Ｍの臀部Ｍ１とか大腿部Ｍ２の裏側、あるいは脹脛Ｍ３の裏側が上記浴槽用敷物１に接触し、上記球体充填体２内の上記石材球体５及び木材球体６から局所的に押圧され押圧刺激を受けることで、体内の血行がさらに促進される（即ち、マッサージ効果）。【００４６】  また、上記各球体充填体２内に収容された上記石材球体５に含有されたミネラル成分が浴湯へ順次溶出し、該浴湯のミネラル成分量が増加し、これが人Ｍの体表面から体内に吸収されることで、体細胞の新陳代謝が活性化し、疲労回復がさらに促進される（即ち、ミネラル成分吸収効果）。【００４７】  さらに、上記各球体充填体２内に収容された上記木材球体６からの芳香成分が、浴湯あるいは浴室内へ放出され、この芳香成分を人Ｍが吸入することで、精神が沈静化され、癒し気分を満喫することができる（即ち、芳香成分吸入効果）。【００４８】  このように、入浴することで、最も基本的な入浴効用である温熱効果に加えて、補助的な入浴効用であるマッサージ効果とミネラル成分吸収効果及び芳香成分吸入効果を同時に享受でき、これらの相乗効果により、高い健康増進効果が得られるものである。【００４９】  一方、この実施形態では、上記球体充填体２を略柱状形体とし、該各球体充填体２を三本並置し且つ一体的に連結して浴槽用敷物１として使用するようにしているので、例えば、必要とする浴槽用敷物１の平面積を同じとした場合、該浴槽用敷物１を単一の球体充填体２で構成する場合に比して、該各球体充填体２を軽量且つコンパクトに形成することができ、この結果、上記浴槽用敷物１の浴槽内への出し入れを、軽快且つ容易に行うことができ、特に浴槽用敷物１の出し入れを行う者が女性等の非力な者である場合にはその効果はより顕著である。なお、他の実施形態では、上記浴槽用敷物１を大形且つ単一の球体充填体２のみによって構成することもできることは言うまでも無い。【００５０】  さらに、この実施形態では、上記球体充填体２を、三本ずつ連結して上記浴槽用敷物１を構成しているので、上記浴槽２０の内底面２１に上記浴槽用敷物１を多数敷きき詰めた場合において、例えば、入浴中の人体の動きによって該浴槽用敷物１に、各球体充填体２の敷き詰め状態を崩すような力が加わったとしても、少なくとも一体に連結された各球体充填体２相互間では敷き詰め状態が維持されるので、上記浴槽用敷物１の使用状態での安定感が良好となる。【００５１】  Ｃ：：その他
（１）  上記実施形態では、上記浴槽用敷物１を、それ本来の使用形態、即ち、浴槽２０内に載置して利用する場合について説明しているが、他の実施形態では、本来の使用形態とは異なって、例えば、上記浴槽用敷物１を浴室の床面上とか、屋内外の床面上に載置して利用することもできる。但し、係る使用形態においては、マッサージ効果及び芳香成分吸入効果は得られるものの、ミネラル成分吸収効果は得られない。
【図面の簡単な説明】
【００５２】
【図１】  本願発明の実施形態に係る浴槽用敷物の具体的構造を示す一部断面斜視図である。
【図２】  図１に示した浴槽用敷物の設置状態説明図である。
【図３】  図１に示した浴槽用敷物を浴槽に設置した状態を示す斜視図である。
【図４】  図１に示した浴槽用敷物が設置された浴槽への入浴状態説明図である。
【符号の説明】
【００５３】  １    ・・浴槽用敷物
２    ・・球体充填体
３    ・・ベース布
５    ・・石材球体
６    ・・木材球体
７    ・・縫合線
１０    ・・充填用袋
１１    ・・内側袋
１２    ・・外側袋
２０    ・・浴槽
２１    ・・内底面
２２    ・・浴湯
Ｍ    ・・人
Ｍ１    ・・臀部
Ｍ２    ・・大腿部
Ｍ３    ・・脹脛部
【図１】
2009201958.tif 000003
【図２】
2009201958.tif 000004
【図３】
2009201958.tif 000005
【図４】
2009201958.tif 000006